(57)【要約】【課題】人目に触れる場所に設置された照明機器やオーディオ機器等の制御対象機器を第三者が一時的に遠隔制御するための制御装置を提供する。【解決手段】制御装置１０は、音声通話が可能な送信機９１から音声通話を送受信可能な回線網９３を介して、対象機器５の制御に関するＤＴＭＦ信号を含む音声信号を受信する信号受信部１と、音声信号に基づいて、対象機器５の制御信号を生成する制御信号生成部３と、対象機器５の制御信号に基づいて、対象機器５の動作を制御する対象機器制御部４と、を備える。【選択図】図１
2020098995.tif 000002
【特許請求の範囲】
【請求項１】
音声通話が可能な送信機から前記音声通話を送受信可能な回線網を介して、対象機器の制御に関するＤＴＭＦ信号を含む音声信号を受信する信号受信部と、
前記音声信号に基づいて、前記対象機器の制御信号を生成する制御信号生成部と、
前記対象機器の前記制御信号に基づいて、前記対象機器の動作を制御する対象機器制御部と、
を備える、制御装置。
【請求項２】
前記対象機器は、電飾を含む、請求項１に記載の制御装置。
【請求項３】
前記対象機器制御部は、発光制御部を含み、
前記音声信号は、電飾の制御に関するＤＴＭＦ信号を含み、
前記制御信号生成部は、前記音声信号に基づいて、前記電飾の制御信号を生成し、
前記発光制御部は、前記電飾の制御信号に基づいて、前記電飾の発光を制御する、請求項２に記載の制御装置。
【請求項４】
前記対象機器は、スピーカを含む、請求項１〜３のいずれかに記載の制御装置。
【請求項５】
前記対象機器制御部は、スピーカ制御部を含み、
前記音声信号は、楽音の制御に関するＤＴＭＦ信号を含み、
前記制御信号生成部は、前記音声信号に基づいて、前記楽音の制御信号を生成し、
前記スピーカ制御部は、前記楽音の制御信号に基づいて、前記スピーカによる楽音の再生を制御する、請求項４に記載の制御装置。
【請求項６】
前記信号受信部は、前記スピーカ制御部にて再生が制御される前記楽音の音声信号を、前記送信機に送信する、請求項５に記載の制御装置。
【請求項７】
前記スピーカ制御部にて再生が制御される前記楽音の音声信号と、前記送信機から受信される前記音声信号とを混合した混合音声信号を生成する音声混合部をさらに備える、請求項６に記載の制御装置。
【請求項８】
前記信号受信部は、前記音声混合部から出力される前記混合音声信号を、前記送信機に送信する、請求項７に記載の制御装置。
【請求項９】
前記回線網をインターネット網とした、請求項１〜８のいずれかに記載の制御装置。
【請求項１０】
前記ＤＴＭＦ信号をダイヤルボタンまたはキーパットの信号とした、請求項１〜９のいずれかに記載の制御装置。
【発明の詳細な説明】
【技術分野】
【０００１】
本発明は制御装置に関し、より詳細には、音声通話を送受信可能な回線網を介して機器を遠隔制御する制御装置に関する。
【背景技術】
【０００２】
近年では、名所、旧跡および遺跡等の観光地や、人が集まる街路の広場や娯楽施設等（以下、観光地等と記載する）において、照明機器を用いて電飾を飾り付けることがなされている。例えばクリスマス時期になると、目抜き通りに植えられた街路樹や歴史的な建造物には、ＬＥＤ等を用いた華やかな電飾が飾り付けられている。さらにスピーカが配置され、雰囲気に合った音楽が再生されていることもある。
【０００３】
照明機器やオーディオ機器等を遠隔制御する従来の技術としては、例えば特許文献１に記載の装置や、特許文献２に記載のシステムが挙げられる。
【先行技術文献】
【特許文献】
【０００４】
【特許文献１】特開平６−１３３３６７号公報
【特許文献２】特開２００５−７１８５３号公報
【発明の概要】
【発明が解決しようとする課題】
【０００５】
一般に、電飾の点灯制御や音楽の再生制御は、電飾やスピーカが配置されている空間や施設、各種イベント会場等の管理者によりなされている。つまり、電飾や音楽を制御するための制御権は管理者が排他的に有している。観光地等には多くの人が来訪するにもかかわらず、制御権は管理者以外の第三者には開放されていない。
【０００６】
仮に、電飾の点灯制御や音楽の再生制御に関する制御権を、管理者以外の第三者に与えることができると、照明機器やオーディオ機器等が設置された場所における演出効果やエンターテイメント性をより高めることができる。特に、人目に触れる場所に設置された照明機器やオーディオ機器等を、これらの機器が設置されたその場で第三者が制御したり、設置場所から離れた別の場所から第三者がリアルタイムで制御することができると、例えば観光地等における演出効果やエンターテイメント性を、より高めることができると期待される。
【０００７】
特許文献１または２に記載の技術によると、無線通信により照明機器やオーディオ機器等を遠隔制御することはできる。しかしながら、遠隔制御は専らイベント会場等の管理者によりなされており、制御権は管理者以外の第三者には開放されていない。
【０００８】
本発明は、上記課題を解決するためになされたものであり、その目的は、人目に触れる場所に設置された照明機器やオーディオ機器等を第三者が一時的に遠隔制御するための制御装置を提供することにある。
【課題を解決するための手段】
【０００９】
上記目的を達成するための本発明は、例えば以下に示す態様を含む。
（項１）
音声通話が可能な送信機から前記音声通話を送受信可能な回線網を介して、対象機器の制御に関するＤＴＭＦ信号を含む音声信号を受信する信号受信部と、
前記音声信号に基づいて、前記対象機器の制御信号を生成する制御信号生成部と、
前記対象機器の前記制御信号に基づいて、前記対象機器の動作を制御する対象機器制御部と、
を備える、制御装置。
（項２）
前記対象機器は、電飾を含む、項１に記載の制御装置。
（項３）
前記対象機器制御部は、発光制御部を含み、
前記音声信号は、電飾の制御に関するＤＴＭＦ信号を含み、
前記制御信号生成部は、前記音声信号に基づいて、前記電飾の制御信号を生成し、
前記発光制御部は、前記電飾の制御信号に基づいて、前記電飾の発光を制御する、項２に記載の制御装置。
（項４）
前記対象機器は、スピーカを含む、項１〜３のいずれかに記載の制御装置。
（項５）
前記対象機器制御部は、スピーカ制御部を含み、
前記音声信号は、楽音の制御に関するＤＴＭＦ信号を含み、
前記制御信号生成部は、前記音声信号に基づいて、前記楽音の制御信号を生成し、
前記スピーカ制御部は、前記楽音の制御信号に基づいて、前記スピーカによる楽音の再生を制御する、項４に記載の制御装置。
（項６）
前記信号受信部は、前記スピーカ制御部にて再生が制御される前記楽音の音声信号を、前記送信機に送信する、項５に記載の制御装置。
（項７）
前記スピーカ制御部にて再生が制御される前記楽音の音声信号と、前記送信機から受信される前記音声信号とを混合した混合音声信号を生成する音声混合部をさらに備える、項６に記載の制御装置。
（項８）
前記信号受信部は、前記音声混合部から出力される前記混合音声信号を、前記送信機に送信する、項７に記載の制御装置。
（項９）
前記回線網をインターネット網とした、項１〜８のいずれかに記載の制御装置。
（項１０）
前記ＤＴＭＦ信号をダイヤルボタンまたはキーパットの信号とした、項１〜９のいずれかに記載の制御装置。
【発明の効果】
【００１０】
本発明によると、人目に触れる場所に設置された照明機器やオーディオ機器等を第三者が一時的に遠隔制御するための制御装置を提供することができる。
【図面の簡単な説明】
【００１１】
【図１】本発明の一実施形態に係る制御装置の概略的な構成を模式的に示す図である。
【発明を実施するための形態】
【００１２】
以下、本発明の実施形態を、添付の図面を参照して詳細に説明する。なお、以下の説明および図面において、同じ符号は同じまたは類似の構成要素を示すこととし、よって、同じまたは類似の構成要素に関する重複した説明を省略する。
［装置の構成］
【００１３】
図１は、本発明の一実施形態に係る制御装置の概略的な構成を模式的に示す図である。
【００１４】
一実施形態に係る制御装置１０は、信号受信部１と、ＤＴＭＦデコーダ２と、制御信号生成部３と、対象機器５を制御する対象機器制御部４とを備える。任意の構成として、制御装置１０は音声混合部６をさらに備えることができる。
【００１５】
ユーザ９０は、制御装置１０を介して対象機器５を遠隔制御する。本実施形態では、対象機器制御部４は、発光制御部４ａとスピーカ制御部４ｂとを含み、対象機器５は、電飾５ａとスピーカ５ｂとを含む。制御装置１０および対象機器５は、例えば観光地等に配置されている。対象機器５は人目に触れる場所に配置されているのが好ましい。なお、制御装置１０および対象機器５は、図示しない例えばモバイルバッテリー等の給電機器を備えることができる。
【００１６】
信号受信部１には、例えば０５０−ＸＸＸＸ−ＸＸＸＸ等の電話番号で表される、信号受信部１を特定する電話番号が付与されている。ユーザ９０は、音声通話が可能な、例えば携帯電話端末等の送信機９１を用いて信号受信部１に付与されている電話番号を発呼することにより、制御装置１０を介して対象機器５を制御することができる。信号受信部１には、例示的には、スマートフォン等の無線端末装置１ａや一般電話１ｂ等の、音声通話が可能な種々の端末装置を用いることができる。
【００１７】
なお、信号受信部１を特定する情報に電話番号を利用することにより、信号受信部１と音声通話中のユーザ９０の送信機９１以外のユーザによる信号受信部１への発呼は、公衆電話網９３において「通話中」と判断され、信号受信部１には接続されない。すなわち、制御装置１０は、対象機器５を制御しているユーザ９０以外のユーザに対して、一時的に排他的な扱いとなり、対象機器５への制御アクセスを遮断する。
【００１８】
信号受信部１は、制御装置１０を制御するユーザ９０側の送信機９１から、無線基地局９２ａおよび公衆電話網９３を介して、或いは、さらに無線基地局９２ｂを介して、対象機器５の制御に関する信号を含む音声信号を受信する。
【００１９】
対象機器５の制御に関する信号には、本実施形態ではＤＴＭＦ（Dual-Tone Multi Frequency）信号を用いる。ＤＴＭＦ信号は、送信機９１の操作部（例えば、ダイヤルボタンまたはキーパッド）から、０から９までの数字と、「＊」、「＃」、「Ａ」、「Ｂ」、「Ｃ」および「Ｄ」の記号との合計１６種類の符号が入力されることにより、公衆電話網９３内で生成される信号である。ＤＴＭＦ信号は、トーン信号またはプッシュ信号とも呼ばれ、音声通話が可能な公衆電話回線において、通話音声と混在した状態で送受信可能な音声信号である。すなわち、信号受信部１が送信機９１から受信する音声信号は、ＤＴＭＦ信号を含む音声信号である。
【００２０】
信号受信部１は、対象機器５の制御に関する信号を含む音声信号を、後段のＤＴＭＦデコーダ２に出力する。本実施形態では、送信機９１から受信した音声信号は、信号受信部１のイヤホン出力端子Ｖｏｕｔから出力され、ＤＴＭＦデコーダ２に入力される。
【００２１】
任意の構成として、信号受信部１は、ユーザ９０側の送信機９１から受信したユーザ９０の通話音声を含む音声信号を、音声混合部６にも出力することができる。すなわち、信号受信部１が送信機９１から受信する音声信号には、対象機器５の制御に関する信号を含む音声信号と、ユーザ９０の通話音声の内容を含む音声信号とが混在した状態で含まれている。
【００２２】
音声通話が可能な送信機９１には、例示的にはスマートフォンや携帯電話等の、音声通話が可能な無線端末装置９１ａを用いることができる。送信機９１は、ＤＴＭＦ信号を発信することが可能な無線端末装置９１ａであることが好ましい。送信機９１は、音声通話が可能であればよく、例えばプッシュ式電話機９１ｂ（プッシュホン９１ｂ）やファクシミリ装置、複合機であってもよい。この場合、プッシュ式電話機９１ｂは、無線基地局９２ａを介さずに公衆電話網９３に接続されており、制御装置１０の信号受信部１（１ｂ）に直接接続されているか、或いは、無線基地局９２ｂを介して制御装置１０の信号受信部１（１ａ）に接続されている。
【００２３】
送信機９１が、音声信号であるＤＴＭＦ信号を直接発信していない場合、例えばデジタル形式の信号を直接発信する送信機９１である場合には、中継経路である無線基地局９２ａ,９２ｂまたは公衆電話網９３が、送信機９１から直接発信されるデジタル形式の信号をＤＴＭＦ信号に変換してもよい。
【００２４】
無線基地局９２ａ,９２ｂは、公知の携帯電話の無線基地局である。公衆電話網９３は、音声通話が可能な公知の公衆電話回線である。無線基地局９２ａ,９２ｂおよび公衆電話網９３は、ユーザ９０側の送信機９１と制御装置１０側の信号受信部１との間で、ＤＴＭＦ信号を送受信する。
【００２５】
ＤＴＭＦデコーダ２は、対象機器５の制御に関するＤＴＭＦ信号を、後段の制御信号生成部３が取り扱うことが可能な形式に変換して出力する。例示的には、本実施形態では、ＤＴＭＦデコーダ２は、ＤＴＭＦ信号をＢＣＤ（Binary-Coded Decimal）形式に変換した信号を生成して出力する。
【００２６】
制御信号生成部３は、ＤＴＭＦデコーダ２から入力されるＢＣＤ信号に基づいて、対象機器５を制御するための制御信号を生成する。制御信号は対象機器５の種類に応じて生成される。本実施形態では、制御信号生成部３は、電飾の制御に関する制御信号を生成して発光制御部４ａに出力し、楽音の制御に関する制御信号を生成してスピーカ制御部４ｂに出力する。
【００２７】
任意の構成として、制御信号生成部３は、対象機器５の制御に関する音声ガイダンス信号Ｖｇを生成することができる。音声ガイダンス信号Ｖｇは、ユーザ９０からの発呼に応じて、信号受信部１のマイク入力端子Ｖｉｎを介して信号受信部１に送信される。信号受信部１は、公衆電話網９３等を介して音声ガイダンス信号Ｖｇを送信機９１に送信することができる。ユーザ９０は、送信機９１から流れる音声ガイダンスに沿って、対象機器５の制御に関する信号を、制御信号生成部３に送信することができる。例示的に、音声ガイダンスにより再生する音声データは、例えば制御信号生成部３に備えられた図示しない記録部（例えば、ＥＥＰＲＯＭ（登録商標）等）内に記録していてもよいし、信号受信部１内の記録部内に記録していてもよい。音声ガイダンスによる自動応答を行う装置は、ＩＶＲ（Interactive Voice Response）装置として知られている。例えば、ユーザ９０への音声ガイダンスを行う場合には、制御信号生成部３およびＤＴＭＦデコーダ２を、公知のＩＶＲ装置にて構成することもできる。
【００２８】
対象機器制御部４は、制御信号生成部３から入力される制御信号に基づいて、対象機器５の動作を制御する。本実施形態では、発光制御部４ａおよびスピーカ制御部４ｂが、対象機器５の動作を制御する。発光制御部４ａは、電飾の制御に関する制御信号に基づいて、電飾５ａの発光を制御する。スピーカ制御部４ｂは、楽音の制御に関する制御信号に基づいて、スピーカ５ｂによる楽音の再生を制御する。スピーカ制御部４ｂは、楽音の再生と電飾５ａの動作タイミングとを同期させるための制御信号を、発光制御部４ａに送信することができる。
【００２９】
例示的には、発光制御部４ａには、公知の調光器を用いることができる。スピーカ制御部４ｂには、複数の楽音を再生することが可能な、公知のメロディＩＣ回路を用いることができる。メロディＩＣ回路には、例えばクリスマスソングのメロディや誕生日を祝う歌のメロディが予め記録されており、回路に設けられた端子から再生するメロディを指定することにより、指定したメロディを再生することができる。または、例示的には、対象機器制御部４には、発光制御部４ａとスピーカ制御部４ｂとを一体化した、例えばＲＧＢミュージックコントローラを用いることができる。ＲＧＢミュージックコントローラによると、一体化された構成により、スピーカ５ｂにて再生する音楽に合わせて電飾５ａの発光態様を制御することができる。
【００３０】
本実施形態では、発光制御部４ａは電飾５ａの明るさを制御し、スピーカ制御部４ｂはスピーカ５ｂにて再生する楽音の種類を制御する。他の実施形態では、発光制御部４ａはさらに電飾５ａの発光パターンを制御することができる。スピーカ制御部４ｂは、ユーザ９０によって選択される楽音の種類に応じて、選択された楽音の音声信号Ｖｍを再生するようにスピーカ５ｂを制御する。スピーカ制御部４ｂは、選択された楽音の音声信号Ｖｍをスピーカ５ｂに送信し、選択された楽音の音声信号Ｖｍがスピーカ５ｂにて再生される。
【００３１】
任意の構成として、スピーカ制御部４ｂは、選択された楽音の音声信号Ｖｍを、信号受信部１のマイク入力端子Ｖｉｎを介して信号受信部１に送信することができる。信号受信部１は、スピーカ制御部４ｂにて再生が制御される楽音の音声信号Ｖｍを、公衆電話網９３等を介して送信機９１に送信することができる。これはすなわち、スピーカ５ｂが設置された場所で流れている、ユーザ９０が再生を指定した楽音の現地でのライブ音声を、スピーカ５ｂの設置場所から離れた別の場所に居るユーザ９０に、リアルタイムで届けることができることを意味している。また、このように、現地でのライブ音声を公衆電話網９３等を介して送信機９１に送信する場合、発光制御部４ａと電飾５ａとの間に、図示しない発光遅延回路を設けてもよい。これにより、ユーザ９０側の送信機９１にて再生される現地でのライブ音声と、ユーザ９０が目視する電飾５ａの動作タイミング（例えば、発光の強弱リズム）とを、より良く同期させることができる。発光遅延回路による遅延時間としては、例えば、信号の通信経路における平均的な遅延時間を予め設定することができる。
【００３２】
任意の構成として、音声混合部６には、送信機９１から信号受信部１に送信される、ユーザ９０の通話音声を含む音声信号が入力される。音声混合部６は、信号受信部１が送信機９１から受信した音声信号と、スピーカ制御部４ｂにて再生が制御される楽音の音声信号Ｖｍとを混合して、混合された音声信号Ｖｍｉｘを生成する。音声混合部６は、混合した音声信号Ｖｍｉｘをスピーカ５ｂに送信し、混合した音声信号Ｖｍｉｘがスピーカ５ｂにて再生される。これにより、ユーザ９０の通話音声が、ユーザ９０が再生を指定した楽音の音声と共に、ユーザ９０が居る場所から離れた別の場所に設置されたスピーカ５ｂにて再生される。
【００３３】
なお、音声混合部６は、混合した音声信号Ｖｍｉｘを、信号受信部１のマイク入力端子Ｖｉｎを介して信号受信部１に送信することもできる。信号受信部１は、公衆電話網９３等を介して、混合した音声信号Ｖｍｉｘを送信機９１に送信することができる。
［装置の利用手順］
【００３４】
以下、ユーザ９０が制御装置１０を介して対象機器５を遠隔制御する際の手順の一例を説明する。
【００３５】
一例として、制御装置１０および対象機器５は、或る山中の山肌に位置する遺跡の一角に予め配置されている。対象機器５は電飾５ａおよびスピーカ５ｂとし、電飾５ａは、発光状態を山の麓から目視することが可能な状態で、遺跡の一角に予め配置されている。信号受信部１には、信号受信部１を特定する電話番号（例えば、０５０−ＸＸＸＸ−ＸＸＸＸ）が付与されており、電話番号は、遺跡を紹介する例えば観光案内のパンフレットやウェブサイトにて予め公開されている。ユーザ９０は山の麓におり、山肌に位置する遺跡の一角に配置されている電飾５ａの発光と、スピーカ５ｂによる楽音の再生とを制御する。
【００３６】
まず、ユーザ９０は、送信機９１を用いて、信号受信部１に付与されている電話番号である０５０−ＸＸＸＸ−ＸＸＸＸを発呼する。着信待機状態にある信号受信部１は、送信機９１からの発呼を受けて、電飾５ａおよびスピーカ５ｂの制御に関する音声ガイダンスをユーザ９０に提供する。
【００３７】
以後、ユーザ９０は、音声ガイダンスに沿って送信機９１のダイヤルボタンを操作することにより、対話形式で、電飾５ａおよびスピーカ５ｂの制御に関するＤＴＭＦ信号を信号受信部１に送信する。送信機９１と信号受信部１とが音声通話が可能な状態で接続されている間は、制御信号生成部３は送信機９１からの制御を常時受け付ける状態となっている。音声通話が遮断されると、または、所定の時間（例えば、２分）が経過すると、制御装置１０の機能は初期状態にリセットされ、信号受信部１も着信待機状態に復帰する。
【００３８】
まず、ユーザ９０は、音声ガイダンスに沿って、制御しようとする対象機器５を選択する。例えば、電飾５ａを制御しようとする場合は、ダイヤルボタンから「＊」を選択し、スピーカ５ｂを制御しようとする場合は、ダイヤルボタンから「＃」を選択する。
【００３９】
ダイヤルボタンから「＊」が入力された場合、制御信号生成部３は、発光制御部４ａを制御するための制御信号を生成して発光制御部４ａに送信する。ダイヤルボタンから「＃」が入力された場合、制御信号生成部３は、スピーカ制御部４ｂを制御するための制御信号を生成してスピーカ制御部４ｂに送信する。
【００４０】
例えばユーザ９０がダイヤルボタンから「＊」を入力すると、次に、ユーザ９０は、音声ガイダンスに沿って、電飾５ａの発光強度を選択する。発光強度は、例えば「１」（弱い）、「２」（普通）、「３」（強い）の３段階で設定されており、例えば強い強度での発光を希望する場合は、ユーザ９０はダイヤルボタンから「３」を入力する。制御信号生成部３は、電飾５ａを強い発光強度「３」で発光させるための制御信号を生成して発光制御部４ａに送信し、発光制御部４ａは、電飾５ａを強い発光強度で発光させる。これにより、電飾５ａの遠隔制御が実現される。
【００４１】
電飾５ａに対する制御を完了した後も、音声通話が可能な状態で接続されている間は、制御信号生成部３は送信機９１からの制御を常時受け付ける状態となっている。
【００４２】
引き続き、例えばユーザ９０がダイヤルボタンから「＃」を入力すると、ユーザ９０は、音声ガイダンスに沿って、スピーカ５ｂにより再生する楽音を選択することができる。再生する楽音の種類には、例えば「１」から「９」の９種類が設定されており、例えばクリスマスソングの再生を希望する場合は、ユーザ９０はダイヤルボタンから「９」を入力する。制御信号生成部３は、スピーカ５ｂによりクリスマスソングを再生させるための制御信号を生成してスピーカ制御部４ｂに送信し、スピーカ制御部４ｂは、スピーカ５ｂからクリスマスソングを再生する。これにより、スピーカ５ｂの遠隔制御が実現される。
【００４３】
音声通話が遮断されると、または、所定の時間（例えば、２分）が経過すると、ユーザ９０による制御装置１０を介した対象機器５の遠隔制御は終了する。
［効果］
【００４４】
以上、本発明の一実施形態に係る制御装置１０によると、人目に触れる場所に設置された照明機器やオーディオ機器等の制御対象機器を第三者が一時的に遠隔制御するための制御装置を提供することができる。制御装置１０は、ユーザ９０側の送信機９１と制御装置１０側の信号受信部１との間の接続に、音声通話が可能な公衆電話網９３を利用することにより、以下に例示する種々の効果を奏する。
【００４５】
第１に、公衆電話網９３は、多くの人にその利用が開放されており、制御装置１０は管理者以外の多くの人からの制御を受け付けることができる。これにより、人目に触れる場所に設置された電飾５ａやスピーカ５ｂを、これらの機器が設置された場所付近や遠く離れた別の場所から、多くの人がリアルタイムで遠隔制御することができるようになり、演出効果やエンターテイメント性が向上する。
【００４６】
第２に、公衆電話網９３は、信号受信部１と音声通話中のユーザ９０以外のユーザからの発呼を、「既に他のユーザと通話中」として処理して、自動的に排他的に遮断することができる。これにより、制御装置１０は、対象機器５を制御しているユーザ９０以外のユーザからの、対象機器５への制御アクセスを一定時間の間遮断することができる。
【００４７】
第３に、公衆電話網９３が音声通話が可能な回線であることにより、音声信号を、ＤＴＭＦ信号の音声信号と通話音声の音声信号とを混在させた状態で、送信機９１と信号受信部１との間で互いに送受信することができる。これにより、対象機器５が設置された現地からのライブ音声を、リアルタイムでユーザ９０に届けることができ、演出効果やエンターテイメント性がさらに向上する。
【００４８】
第４に、音声通話が可能な公衆電話網９３を利用することにより、音声信号であるＤＴＭＦ信号を用いて対象機器５を制御することができる。これにより、信号受信部１毎に指定された特定の電話番号にダイヤルするだけで、制御装置１０へ接続して対象機器５を制御することができる。専用のアプリ等を送信機９１にインストールする必要はなく、対象機器５を手軽に遠隔制御することができる。送信機９１は、音声通話が可能であればよく、例えばプッシュホン９１ｂであってもよい。
［その他の形態］
【００４９】
以上、本発明を特定の実施形態によって説明したが、本発明は上記した実施形態に限定されるものではない。
【００５０】
上記した実施形態では、制御装置１０および対象機器５のセットは、１セットが観光地等に設置されているが、これら複数の場所に制御装置１０および対象機器５のセットを複数設置してもよい。それぞれの制御装置１０が備える信号受信部１には、複数の信号受信部１の中から一台の信号受信部１を特定する電話番号が付与されている。よって、ユーザ９０は、複数箇所に設置されている制御装置１０および対象機器５の複数のセットの中から、遠隔制御を希望する場所に設置されている制御装置１０の信号受信部１を特定して、対象機器５を遠隔制御することができる。信号受信部１に付与されている電話番号は、例えば観光案内のパンフレットやウェブサイトに予め記載して公開しておけばよい。
【００５１】
上記した実施形態では、制御信号生成部３は、送信機９１の操作部からの１回のプッシュ毎に生成されるＤＴＭＦ信号に基づいて、対象機器５を制御するための制御信号を生成しているが、対象機器５を制御するための制御信号を制御信号生成部３が生成する態様はこれに限定されない。制御信号生成部３は、連続して制御信号生成部３に入力される複数のＤＴＭＦ信号に基づいて、対象機器５を制御するための制御信号を生成してもよい。
【００５２】
例えば、音声ガイダンスにより、送信機９１の操作部から生成されるＤＴＭＦ信号を、０から９までの数字に対応する１０種類のＤＴＭＦ信号に制限する場合であっても、制御信号生成部３が２つの連続するＤＴＭＦ信号に基づいて制御信号を生成する場合は、制御信号生成部３は１０２＝１００通りの制御信号を生成することができる。同様に、制御信号生成部３が３つの連続するＤＴＭＦ信号に基づいて制御信号を生成する場合は、制御信号生成部３は１０３＝１０００通りの制御信号を生成することができる。
【００５３】
また、対象機器５に対する制御内容も、電飾５ａの発光強度の指定や、スピーカ５ｂにて再生する楽音の選択に限らず、対象機器５に対する様々な制御を行うことができる。
【００５４】
上記した実施形態では、ユーザ９０が遠隔制御することができる対象機器５は電飾５ａおよびスピーカ５ｂを含んでいるが、対象機器５はこれらに限定されない。例示的には、対象機器５は、動力学的な作用を対象物に与える、例えばステッピングモータ等の機器を含むことができ、対象機器制御部４は、ステッピングモータ等の動作を制御するための制御部を含むことができる。
【００５５】
上記した実施形態では、制御装置１０は一体の装置として実現されているが、制御装置１０は一体の装置である必要はなく、制御装置１０を構成する各部が別所に配置され、これらが配線またはネットワークにより互いに接続されていてもよい。
【００５６】
上記した実施形態では、信号受信部１を除く制御装置１０を構成する各部は、公知のＩＣ回路やマイクロコントローラ等の個別のハードウェアにより実現されているが、これら信号受信部１を除く各部を、信号受信部１に一体化して構成してもよい。すなわち、信号受信部１を例えばスマートフォンにより実装する場合は、信号受信部１を含む制御装置１０自体をスマートフォンにより一体化して実装してもよい。
【００５７】
上記した実施形態では、スピーカ制御部４ｂは公知のメロディＩＣ回路により実現されているが、スピーカ制御部４ｂを実現する態様はこれに限定されない。例示的には、スピーカ制御部４ｂには、制御信号生成部３と同様にマイクロコントローラを用いることができる。この場合、スピーカ制御部４ｂは、図示しない記録部（例えば、ＥＥＰＲＯＭ等）を備えることができ、スピーカ５ｂにて再生する楽音の音声信号Ｖｍの元になるデータを、電子データのファイル形式で記録部内に保存することができる。
【００５８】
上記した実施形態において、公衆電話網９３を介して制御装置１０の信号受信部１に接続する利用者から、利用料を徴収してもよい。利用料は、例えば信号受信部１の電話番号が記載されたカードをプリペイド式で販売することにより徴収してもよい。
【００５９】
上記した実施形態において、公衆電話網９３を、音声通話を送受信可能な回線網に代替してもよい。例えば、公衆電話網９３を、ＶｏＩＰを適用したインターネット網で代替してもよい。この場合、インターネットを介して制御装置１０の信号受信部１に接続する利用者から、制御装置１０への接続料として利用料を徴収してもよい。送信機９１にスマートフォンを用いる場合、利用者への課金は、スマートフォンにインストールした専用のアプリを介して行えばよい。
【００６０】
上記した実施形態において、信号受信部１に接続する送信機９１の発信元情報を、いわゆるビッグデータとして収集してもよい。また例えば、ユーザ９０側の送信機９１と制御装置１０側の信号受信部１との双方をスマートフォンで構成する場合、スマートフォンの位置情報を利用することにより、制御装置１０を利用しようとするユーザ９０の位置と、ユーザ９０が制御しようとする対象機器５の位置との相関関係を、ビッグデータとして収集してもよい。
【００６１】
上記した実施形態において、ＤＴＭＦ信号はダイヤルボタンまたはキーパット等の任意の信号で代替してもよい。
【符号の説明】
【００６２】
１  信号受信部
１ａ  無線端末装置
１ｂ  一般電話
２  デコーダ
３  制御信号生成部
４  対象機器制御部
４ａ  発光制御部
４ｂ  スピーカ制御部
５  対象機器
５ａ  電飾
５ｂ  スピーカ
６  音声混合部
１０  制御装置
９０  ユーザ
９１  送信機
９１ａ  無線端末装置
９１ｂ  プッシュホン
９２ａ，９２ｂ  無線基地局
９３  公衆電話網
Ｖｇ  音声ガイダンス信号
Ｖｉｎ  マイク入力端子
Ｖｏｕｔ  イヤホン出力端子
Ｖｍ  楽音の音声信号
Ｖｍｉｘ  楽音と通話音声とを混合した音声信号
【図１】
2020098995.tif 000003